(57)【要約】  前側ウエスト区域と、後側ウエスト区域と、股区域とを含む使い捨て吸収性物品であって、少なくとも１つの可視表面をそれぞれが含む少なくとも３つの別個の要素をさらに含んでおり、可視表面のうちの少なくとも３つ以上が付与された色を含み、前記色が適合されている、吸収性物品。色の適合は、前記色が、指定されたＣＩＥＬａｂ色空間体積内に含まれるとき、指定された色相差を有するとき、又は全色差を有するときに、存在する。【特許請求の範囲】
【請求項１】
前側ウエスト区域と、後側ウエスト区域と、該前側ウエスト区域と該後側ウエスト区域との間に配置された股区域とを含む使い捨て吸収性物品であって、１つ以上の前記区域の上に配置された少なくとも３つの別個の要素をさらに含んでおり、各要素は、付与された色を含む外部から可視の表面を含んでおり、前記付与された色が、
ａ．約１９０未満のＣＩＥＬａｂ色空間体積内にあり、
ｂ．約４未満のＣＩＥＬａｂ色空間色相差内にあり、且つ／又は
ｃ．約１０未満のＣＩＥＬａｂ全色差内にある、
ことを特徴とする、吸収性物品。
【請求項２】
前記要素は、バックシート、レッグカフ、ウエスト機構、締着装置、ランディング領域、サイドパネル、取っ手、締着つまみ、及びそれらの組み合わせから成る群から選択される、請求項１に記載の使い捨て吸収性物品。
【請求項３】
前記付与された色は、印刷、含浸、コーティング、及びそれらの組み合わせから成る群から選択される方法によって付与される、請求項１又は２に記載の使い捨て吸収性物品。
【請求項４】
前記外部から可視の表面は、不織布、織布、フィルム、及びそれらの組み合わせから成る群から選択される材料を含む、請求項１〜３のいずれか一項に記載の使い捨て吸収性物品。
【発明の詳細な説明】
【技術分野】
【０００１】
本発明は、おむつ、トレーニングパンツ、成人用失禁用物品、女性用保護物品などの使い捨て吸収性物品であって、該物品内の調和した色調（harmonic flow）を達成するために、国際照明委員会Ｌ＊ａ＊ｂ＊系（以後、フランス語名称のCommission Internationale de l’Eclairageから、「ＣＩＥＬａｂ」）に従って定量的に色が適合された要素を含む、吸収性物品を対象とする。
【背景技術】
【０００２】
使い捨ておむつ、プルオンおむつ、トレーニングパンツ、生理用ナプキン、パンティライナー、失禁用ブリーフなどの吸収性物品は、当該技術分野において周知であり、尿及び他の体外滲出物を吸収して封じ込めるのにきわめて有効である。市場に導入されて以来、吸収性物品は、適合性及び機能性に関して改良を続けてきた。例えば、吸収性物品は、着用者のウエスト及び脚の周りでぴったりして、快適な適合性をもたらすように構築される。おむつは、漏れ又は着用者の皮膚に対する悪影響なしに、大量の滲出物を封じ込めることができる。
【０００３】
しかし、おむつは、審美的設計に関しては著しい進歩が見られない。市販の使い捨ておむつの誕生以来、おむつの主な色は、構築に選択される材料内の固有の色である。該材料は、一般に、しばしば二酸化チタンなどの色素の使用により得られる、白色である。現在では、ほとんどのおむつで限られた図形が一般的である。これらの図形には、独特の模様と、白以外の色とが含まれる。ごく最近になってから、製造業者らは、おむつのより広い表面にわたって、且つおむつの実質的に異なる構成要素にわたって、染色を試みようとしている。吸収性物品の色の含有量を増加させることは、該物品が従来の子供用布下着のようにより見え始める点で望ましい。おむつは、より肌着のように見え、すぐにはおむつとして判別しにくい。おむつの実質的に異なる構成要素にわたって色を付与しようとする初期の試みに起因した１つの問題は、色の不適合である。
【０００４】
おむつ内の色の適合を保証することは、重要であるが、達成困難である。適合した色を有するおむつは、消費者に、その製品が高品質であり、劣った競合製品とは区別されることを伝える。適合した色を有するおむつは、全体的に感じがよく、消費者に好まれると考えられている。しかし、吸収性物品は、色を適合させるのが困難な製品である。おむつは、様々な材料で構成される。印刷、コーティング、又は含浸は、色を付与する周知の方法であるが、おむつ構造で使用される材料すべてにこれらの各方法を実施できるわけではない。その結果、ある材料は、印刷又はコーティングによってしか色をつけることができない一方、その材料に隣接した異なる材料は、色の含浸のみ受け入れる場合がある。異なる２つの材料に色を付与する単一の方法を実施できる場合でも、付与される色は、完成製品において２つの材料間で適合していないように見えることがある。おむつの多くの表面は、色の付いた層が第２の層によって覆われる、積層体である。得られる積層体は、色の付いた層の色に比べて和らいだ色を示す。またさらに、材料の質感が、付与される色に悪影響を及ぼすこともある。
【発明の開示】
【発明が解決しようとする課題】
【０００５】
色を適合させる際の更なる問題は、どの時点で２つの表面の色が適合しているかを判定することである。色の識別は、きわめて多様性の大きい個人的な特徴であるので、色の差又は適合に関する人間の識別力は、信頼できるものではない。その結果、１人の観察者にとって色が適合しているように見えるものが、別の観察者には区別がついて見えることがある。さらに、２つ以上の表面間の色の差又は適合に関する人間の識別という、きわめて定性的な概念を定量化することは、非常に困難である。
【課題を解決するための手段】
【０００６】
前述の困難及び問題を踏まえて、ＣＩＥＬａｂ色空間の計算に従って色が適合された要素を有する使い捨て吸収性物品を開示する。具体的には、前側ウエスト区域と、後側ウエスト区域と、股区域とを含む使い捨て吸収性物品であって、付与された色を含む外部から可視の表面をそれぞれが含む少なくとも３つの別個の要素をさらに含む、吸収性物品が開示される。付与される色は、約１９０未満、より好ましくは約１５０未満、最も好ましくは約１００未満のＣＩＥＬａｂ色空間体積内に含まれてよい。付与される色は、約１０未満、好ましくは８未満の、ＣＩＥＬａｂ全色差を有する。付与される色は、約４未満、好ましくは２未満、最も好ましくは１未満のＣＩＥＬａｂ色空間色相差を有する。
【０００７】
要素は、バックシート、バリアレッグカフ、ウエストバンド、締着装置、ランディング領域、サイドパネル、締着つまみ、及びそれらの組み合わせから成る群から選択することができる。
【０００８】
さらに、要素は、積層材をさらに含むことができ、その際、該積層材は、付与された色を示す少なくとも１つの薄層を含んでおり、また、薄層の付与された色と要素の付与された色とは、適合されていない。
【発明を実施するための最良の形態】
【０００９】
本明細書で使用するとき、用語「吸収性物品」は、身体滲出物を吸収して封じ込めるデバイスを指し、より具体的には、着用者の身体に当てて又は着用者の身体に近接して置かれて、身体から排出される様々な滲出物を吸収して封じ込めるデバイスを指す。
【００１０】
本明細書で使用するとき、用語「使い捨て」は、洗濯される、ないしは別の方法で吸収性物品として復元若しくは再使用されることが一般に意図されていない（すなわち、一回使用後に廃棄される、好ましくは、リサイクルされる、堆肥化される、ないしは環境に適合する別の方法で廃棄されることが意図されている）吸収性物品を指す。
【００１１】
本明細書で使用するとき、用語「要素」は、吸収性物品を形成するために一体化させなければならない別個の分離した部品を指す。各要素は、１以上の薄層を含んでよい。さらに、要素は、付与された色をもたらす着色技術を施されていない共通の連続薄層を共有してよい。ただし、要素は、付与された色をもたらす着色技術に施された共通の連続薄層を共有しなくてもよい。
【００１２】
本明細書で使用するとき、用語「配置された」は、（１又は複数の）おむつ（１又は複数の）の要素が、おむつの他の要素とともに一体型の構造体として、又はおむつの他の要素に接合された別個の要素として、特定の場所又は位置に形成される（接合且つ位置付けられる）ことを意味するために使用される。
【００１３】
本明細書で使用するとき、用語「着用者に面する表面」は、着用者に装着されたときに身体の方を向く表面を指す。
【００１４】
本明細書で使用するとき、用語「衣類に面する表面」は、着用者に装着されたときに着用者に面する表面とは反対側の表面を指す。
【００１５】
本明細書で使用するとき、用語「接合された」は、ある要素を他の要素に直接添着することによって、ある要素が別の要素に直接固定される構成と、ある要素を（１又は複数の）中間部材に添着し、次にその中間部材が他の要素に添着されることによって、ある要素が別の要素に間接的に固定される構成とを包含する。
【００１６】
本明細書で使用するとき、用語「一体型」吸収性物品は、統合された物体を形成するように一体化された別個の要素から形成され、従って別個のホルダー及びライナーのような別個の操作部品を必要としない吸収性物品を指す。
【００１７】
本明細書で使用するとき、用語「外部から可視の表面」は、適正な適用直後に、物品の衣類に面する表面を見る基準点から標準的な照明条件で、人間の観察者が肉眼（近視、遠視、又は乱視を補正するように適合された標準的な矯正レンズを除く）で視覚的に認識できる、可視表面を指す。要素の外部から可視の表面は、本発明に従って色を適合させることが好ましい。
【００１８】
本明細書で使用するとき、用語「内部の可視表面」は、平面に置かれた（すなわち、着用者に面する表面がほぼ平らになるように伸張された）物品の着用者に面する表面を見る基準点から標準的な照明条件で、人間の観察者が肉眼（近視、遠視、又は乱視を補正するように適合された標準的な矯正レンズを除く）で視覚的に認識できる、可視表面を指す。
【００１９】
本明細書で使用するとき、「標準的な照明条件」は、人間の視力が効果的に機能する（例えば、人間の眼が、複雑な模様、陰影、及び色を認識できる）照明条件を指す。具体的には、本発明を説明するために、標準的な照明条件は、以下の少なくとも１つである：
ａ）日中、屋外で経験されるような昼光照明、
ｂ）２メートルの距離での標準的な１００ワット白熱電球の照明、又は
ｃ）ＣＩＥ１９６４標準観測者に対して８００ルクスで照明するＣＩＥ  Ｄ６５標準光源によって規定されるもの。
【００２０】
本明細書で使用するとき、用語「おむつ」は、一般に幼児及び失禁者によって胴体下部の周りに着用される吸収性物品を指す。本発明は、また、失禁用ブリーフ、失禁用下着、吸収性挿入物品、おむつホルダー及びライナー、女性用衛生衣類など、他の吸収性物品にも適用可能である。
【００２１】
本明細書で使用するとき、用語「適合した色」は、規定された色空間体積内に入る、規定された色空間色相差を有する、且つ／又は規定された全色差を有する、色を指す。
【００２２】
おむつは、一般に、１つに接合された様々な要素から構築される。おむつ構造の様々な要素は、一般に、少なくとも１つの可視表面を有する。おむつが、トップシートと、バックシートと、少なくとも１つの追加構成要素とを含むことが望ましく、各要素が少なくとも１つの可視表面を有することができる。可視表面は、（ｉ）物品を引き裂き、破り、穴をあけ、ないしは別の方法で切断することなく視覚的に認識可能であり、且つ（ｉｉ）付与された色をもたらす着色技術施された表面を意味する。初めは可視表面ではない表面が、後で、保管、適用、着用、又は廃棄の間に可視表面になることがある。例えば、締着装置内の接着つまみから保護カバーを除去することができる。保護カバーを除去すると、接着つまみ上の可視表面が現れることがある。一般に、おむつの要素は、通常は内部の可視表面である、着用者に面する表面と、通常は外部から可視の表面である、衣類に面する表面とを備えた、通常配向された２つの表面を含む。色の適合は、内部の可視表面の間、外部から可視の表面の間、又は両者の間で行うことができる。一実施形態では、色の適合は、バックシート、レッグカフ、ウエスト機構、締着装置、ランディング領域、サイドパネル、取っ手（handle）、締着つまみ、及びそれらの組み合わせが挙げられ、要素の外部から可視の表面間で行われる。
【００２３】
おむつによって示される様々な色は、一般に２つのカテゴリに分けることができる。固有の色は、通常、ほとんど又は全く彩度のない色である。定性的には、固有の色は、伝統的におむつと結び付けられた、白色から淡白色（off-white）を示す。固有の色は、普通、可視表面を構成する原材料の色である。材料の白さは、二酸化チタン顔料で基材を印刷、コーティング、又は含浸するなどによって、操作することができる。より具体的且つ定量的には、固有の色は、ＣＩＥＬａｂ彩度値Ｃ＊が約６未満（式を以下に与える）の色である。付与される色は、おむつの可視表面上若しくは表面内に印刷、コーティング、又は含浸される色である。付与される色は、ＣＩＥＬａｂＣ＊が約６よりも大きい色である。可視表面は、一般に、固有の色を含んでおり、１以上の付与された色を含むことができる。
【００２４】
さらに、付与された色を有する可視表面は、単一の層（stratum）を含んでよく、又は１を超える薄層を含む積層体であってもよいことが認識されている。単一の層（stratum）に関して、付与される色は、その層上又はその層内に付与される。積層体に関して、色は、１以上の薄層の上又は中に付与されてよい。例えば、積層体は、一般に、外側の薄層（すなわち、観察者の視線内に最も近接した層、例えば、衣類に面する表面）と、少なくとも１つの内側の薄層とを含んでよい。薄層の１以上が付与された色を有してよい。例えば、積層体は、色が付与されていない外側の薄層と、色が付与されている少なくとも１つの内側の薄層とを含んでよい。おむつを見ると、内側の薄層の付与された色は、積層体全体に着色をもたらす。ゆえに、積層体全体の知覚可能な色は、外側の薄層及び他の任意の内側の薄層群が内側の薄層の付与された色を拡散・移動させ得る結果である。その結果、積層体全体の付与された色は、単独で見た場合の個々の薄層の付与された色に比べて異なる（すなわち、色が適合していない）ことがある。さらに、外側の薄層及び１以上の内側の薄層は、単独で見たときの個々の薄層の付与された色が積層体全体の付与された色と適合しないような、付与された色を示すことがある。
【００２５】
可視表面上の付与された色は、当該技術分野において周知の様々な着色技術によって提供することができる。色は印刷、コーティング、及び含浸の着色技術によって、可視表面に提供されてもよいが、これらに限定されない。凸版印刷、フレキソ印刷、グラビア、オフセットリソグラフィ、スクリーン、及びインクジェットの、様々な印刷方法が色を付与するために用いられてもよいが、これらに限定されない。すべての方法が当該技術分野において周知である。
【００２６】
凸版印刷は、最も古い印刷方法であり、インク又は他の同等の物質が隆起した表面の上に適用されるものである。この表面は、基材に押し付けられ、それによってインクを基材に移動させる。フレキソ印刷は、多くの場合、円筒状である、ゴム、プラスチック、又は他の可撓性材料製の印刷プレートを使用する。インクは、プレート上の隆起した画像に適用される。次いで、プレートは、基材と接触して置かれ、インクが基材に移動される。フレキソ印刷では、水ベース及び溶媒ベースのインクが使用される。使用されるほとんどのインクが速乾性であり、フレキソ印刷を、プラスチック、箔、圧縮可能表面、及び他の非吸収性基材上に印刷するのに特に適したものにしている。
【００２７】
グラビア印刷は、様々な深さにエッチングされた窪みを有する、印刷シリンダを使用する。この印刷方法は、密閉されたインク溜め又はインクトラフ内にエッチングされたシリンダを部分的に（一般にシリンダ直径の約４分の１を）浸漬することによって実施される。画像を作り出す、エッチングされたセルが、インクで満たされ、シリンダの表面も、インクでコーティングされる。シリンダの表面は画像を作り出さないので、シリンダ表面上のインクは、望ましくない。この望ましくないインクは、シリンダから表面のインクすべてを拭き取るドクターブレード又はナイフによって除去される。印刷シリンダが基材と接触するとき、セル内に入っているインクが基材に移動される。グラビアは、連続的な印刷操作及び非常に長時間の印刷に理想的である。一般に、グラビア印刷では、溶媒ベースのインクが使用される。
【００２８】
リソグラフ印刷、若しくはオフセット印刷は、画像を有するオフセットプレート上の表面特徴を利用する印刷方法である。オフセットプレートは、通常、薄い紙、プラスチック、又は金属シートから作製され、露出且つ処理された後で印刷のためにプレスシリンダ周りに巻き付けることができる。オフセットプレートは、２つの領域、すなわち、疎水性の画像領域と、親水性の非画像領域とを包含する。基本原理は共通しているが、オフセットプレートと、該オフセットプレートが非画像領域から画像を分離させるために使用する方法との間には、多くの相違がある。一般に、インクは、疎水性の画像領域に付着するが、親水性の非画像領域からははじかれる。インク及び水を与えられたオフセットプレートを、通常はゴムに覆われた第２のシリンダ上に印刷することができる。次いで、第２のシリンダは、このインク及び水の刷り（impression）を基材上にオフセット刷りする。
【００２９】
スクリーン印刷は、絹又は他のポリマー材料製の多孔質スクリーンを利用する。スクリーンは、フレームに取り付けられる。フォトメカニカルに、又は手作業で、ステンシルがスクリーン上に作り出される。非印刷領域は、ステンシルによって保護される。粘稠なインクをスクリーンに適用することによって、該スクリーンの下の基材に印刷が実施される。インクは、ゴムのスキージ又はローラによって、スクリーンの微細な開口部を通って押し出される。
【００３０】
インクジェット印刷は、インク滴が小さな孔から媒質上の指定された位置へと直接噴射されて画像を作り出す、ノンインパクト・ドットマトリックス技術である。インクジェット印刷は、連続的な方法又はドロップ・オン・デマンド方法で実施することができる。連続的なインクジェット印刷は、インク滴の連続の流れを伴う。一般に、インク滴は荷電電極によって荷電されてもよい。液滴が荷電されない場合、該液滴は、直接に基材へと移動し、帯電圧プレートによって妨げられない。荷電した液滴は、帯電圧プレートによって偏向される。方向転換される場合、液滴は、基材に到達する前に捕捉されて再循環される。他の連続的なインクジェット方法は、すべての液滴を荷電させ、電圧プレートが、基材上への液滴の配置、又は方向転換を制御する。ドロップ・オン・デマンドのインクジェット印刷は、その名が示すように、必要とされるときにだけインク滴を提供する。液滴は、様々な方法によって形成されるが、熱的及び圧電式液滴形成が最も一般的である。熱的インクジェット印刷は、小さい加熱装置によって創り出されるインク蒸気泡の急速膨張によって、インク滴がノズルから押し出されるものである。圧電式インクジェット印刷は、電圧を印加されたときに圧電セラミックが膨張することで創り出される圧力波によって、インク滴がノズルから押し出されるものである。インクジェット印刷技術は、ヒュー．Ｐ．Ｌｅ（Hue. P. Le）のインクジェット印刷技術の進展と傾向（Progress and Trends in Ink-Jet Printing Technology）、画像科学技術誌（Journal of Imagining Science and Technology）、第４２巻、４９〜６２ページに記載されているように、当該技術分野において周知である。
【００３１】
様々なコーティング技術が、可視表面上に色を付与するために用いられてもよい。好適なコーティング技術は、当該技術分野において周知であり、ビード押出機（bead extruders）、スロットダイコーター、スプレーノズル、ディップタンク、ブラシ、及びそれらの組み合わせが挙げられるが、これらに限定されない。好適なスロットダイコーターとしては、ジョージア州ドーソンビル（Dawsonville）のノードソン社（Nordson Corp.）から入手可能なＥＰ１１アプリケータ（EP11 Applicator）、又はテネシー州ヘンダーソンビル（Hendersonville）のＩＴＷダイナテック・アメリカス（ITW Dynatec Americas）から入手可能なＭＲ１３００スロットダイコーター（MR1300 Slot Die Coater）が挙げられる。好適なコーティングとしては、接着剤、ニス、ラテックス、ローション、ワックス、及びパラフィンが挙げられるが、これらに限定されない。コーティングは、一般に、染料、顔料、又は組み合わせを含有する。
【００３２】
色は、着色剤の基材への含浸を通じて、可視表面に付与されてもよい。染料、顔料、又は組み合わせなどの着色剤は、ポリマー、樹脂、又は不織布などの基材の形成の際に含浸させることができる。例えば、フィルム、繊維、又はフィラメント形成中に、ポリマーの溶融バッチに着色剤を追加してもよい。
【００３３】
付与される色は、国際照明委員会（Commission Internationale de l’Eclairage）のＬ＊ａ＊ｂ＊色空間（以後、「ＣＩＥＬａｂ」）に従って適合される。ＣＩＥＬａｂは、ＣＩＥ１９７６標準に基づいた数学的な三刺激値カラースケールである。ＣＩＥＬａｂは、色を定量的に且つ精密に記述できるようにする。図２に提示されるように、ＣＩＥＬａｂは、デカルトｘｙｚ空間に類似した３次元空間内に色をプロットできるようにする。ＣＩＥＬａｂは、デカルトｘｙｚ空間では伝統的にｘ軸であるところに緑から赤の色を有する。ＣＩＥＬａｂは、この軸をａ軸として識別する。負のａ＊値は、緑を表し、正のａ＊値は、赤を表す。ＣＩＥＬａｂは、デカルトｘｙｚ空間では伝統的にｙ軸であるところに青から黄の色を有する。ＣＩＥＬａｂは、この軸をｂ軸として識別する。負のｂ＊値は、青を表し、正のｂ＊値は、黄を表す。ＣＩＥＬａｂは、デカルトｘｙｚ空間では伝統的にｚ軸であるところに明度を有する。ＣＩＥＬａｂは、この軸をＬ軸として識別する。Ｌ＊軸の値は、白色である１００から、黒色である０にわたる。Ｌ＊値５０は、中間の色調の灰色（ａ＊及びｂ＊が０の場合）を表す。いずれの色も、３つの値（Ｌ＊、ａ＊、ｂ＊）に従ってＣＩＥＬａｂにプロットすることができる。
【００３４】
３次元ＣＩＥＬａｂは、彩度、色相、及び明度の３つの色成分を計算できるようにする。ａ軸及びｂ軸から形成される２次元空間内で、色相及び彩度の成分を決定することができる。彩度は、知覚される色の相対的な飽和度（saturation）であり、ａ＊ｂ＊平面内で測定される原点からの距離によって決定される。特定の（ａ＊，ｂ＊）の組についての彩度は、次式に従って計算される：
【数１】
2008507386.tif 000002
例えば、ａ＊ｂ＊値が（１０，０）の色は、ａ＊ｂ＊値が（２０，０）の色よりも低い彩度を示す。後者の色は、定性的に、前者よりも赤いものとして知覚される。色相は、特定の色における相対的な赤、黄、緑、及び青である。２次元ａ＊ｂ＊空間内で、原点からどの色にも射線（ray）を創り出すことができる。色相は、０°（正のａ＊軸）から創り出された射線（ray）まで測定される角度である。色相は、０°〜３６０°の間のいずれの値もとり得る。明度は、Ｌ＊値から決定され、値が高いほど白く、値が低いほど黒い。
【００３５】
可視表面それぞれが付与された色を含む、可視表面を含む２つ以上の要素の色の適合は、色空間体積、全色差、及び色相差によって決定することができる。本発明の一実施形態は、付与された色が規定のＣＩＥＬａｂ色空間体積を占めるように、異なる要素の２つ以上の可視表面の色を適合させることである。ある体積がＣＩＥＬａｂ内で３つの寸法すべてを占め、且つ考慮するように、該体積内で色の適合を特徴付けることが望ましい。理論に制限されるものではないが、そのような３次元測定は、２色の差をより完全に特徴付けると考えられている。第１の色（Ｌ＊１、ａ＊１、ｂ＊１）及び第２の色（Ｌ＊２、ａ＊２、ｂ＊２）についてのＣＩＥＬａｂ色空間体積（Ｖ）は、次式に従って計算される：
【数２】
2008507386.tif 000003
式中、ΔＬ＊は、２色の間のＬ＊値の差であり、ΔＬ＊＝Ｌ＊２−Ｌ＊１によって計算される。Δａ＊は、２色の間のａ＊値の差であり、Δａ＊＝ａ＊２−ａ＊１によって計算される。Δｂ＊は、２色の間のｂ＊値の差であり、Δｂ＊＝ｂ＊２−ｂ＊１によって計算される。ＣＩＥＬａｂ色空間体積は、ほぼ楕円形の立体をもたらすが、ΔＬ＊、Δａ＊、及びΔｂ＊が等しい場合、立体は、球形になる。本明細書で使用するとき、「立体（solid）」は、長さ、幅、及び高さ（又は深さ）を有する３次元形の数学的概念を指す。一般に楕円は、ΔＬ＊、Δａ＊、及びΔｂ＊の寸法差を他の立体よりも比較的一様にすることを必要とするので、体積を計算するには楕円の体積が好ましい。さらに、楕円の体積は、他の形状の体積よりも視覚的に受け入れやすい（すなわち、人間の知覚による色の不適合を検出しにくい）と考えられている。
【００３６】
理想的には、別個の要素の少なくとも２つの可視表面の付与された色は、約１９０未満のＣＩＥＬａｂ色空間体積を占める。可視表面は、後述する試験方法に従って分析される。分析すると、可視表面を含む要素の固有の色は、Ｌ＊、ａ＊、及びｂ＊座標を生じる。次いで、以上に提示した式を用いてＣＩＥＬａｂ色空間体積が計算される。得られる体積は、好ましくは約１９０未満である。より好ましくは、得られる体積は、約１５０未満である。さらに好ましくは、得られる体積は、約１００未満である。
【００３７】
可視表面を有する２つを超える別個の要素の付与された色が、前述のＣＩＥＬａｂ色空間体積を占めることができることを認識すべきである。２つを超える要素について色空間体積を計算する際、体積は、要素の組から最大並びに最小のＬ＊、ａ＊、及びｂ＊を使用して計算される。要素の所与の組は、Ｌ＊、ａ＊、及びｂ＊値の組をもたらす。最大の色値は、Ｌ＊、ａ＊、及びｂ＊値の組から、最大Ｌ＊、最大ａ＊、及び最大ｂ＊を取ることによって選択される。同様に、最小の色値は、Ｌ＊、ａ＊、及びｂ＊値の組から、最小Ｌ＊、最小ａ＊、及び最小ｂ＊を取ることによって選択される。最大の色値及び最小の色値を使用して、以上に提示した式に従ってＶを計算する。好ましくは、可視表面を有する２つを超える別個の要素の付与された色が該体積を占める。より好ましくは、可視表面を有する３つを超える別個の要素の付与された色が該体積を占める。
【００３８】
本発明の一実施形態は、色が特定ののＣＩＥＬａｂ色空間全色差（ΔＥ）を有することができるように、可視表面の色を適合させることである。全色差によって色の適合を特徴付けることは、全色差がＣＩＥＬａｂ内で３つの寸法すべてを占め、且つ考慮する点で望ましい。この理論に制限されるものではないが、そのような３次元測定は、２色の差をより完全に特徴付けると考えられている。全色差は、ＣＩＥＬａｂ色空間内の２点間の距離を表わす。第１の色（Ｌ＊１、ａ＊１、ｂ＊１）及び第２の色（Ｌ＊２、ａ＊２、ｂ＊２）についてのＣＩＥＬａｂ色空間全色差（ΔＥ）は、次式に従って計算される：
【数３】
2008507386.tif 000004
前記式中、ΔＬ＊は、２色の間のＬ＊値の差であり、ΔＬ＊＝Ｌ＊２−Ｌ＊１によって計算される。Δａ＊は、２色の間のａ＊値の差であり、Δａ＊＝ａ＊２−ａ＊１によって計算される。Δｂ＊は、２色の間のｂ＊値の差であり、Δｂ＊＝ｂ＊２−ｂ＊１によって計算される。
【００３９】
理想的には、それぞれが付与された色を含む可視表面を含む、少なくとも２つの要素は、約１０未満のＣＩＥＬａｂ色空間全色差を有することができる。可視表面は、後述する試験方法に従って分析される。分析すると、可視表面を含む要素の固有の色は、Ｌ＊、ａ＊、及びｂ＊座標を生じる。次いで、以上に提示した式を用いてＣＩＥＬａｂ色空間全色差が計算される。得られるΔＥは、好ましくは約１０未満である。さらに好ましくは、得られるΔＥは、約８未満である。
【００４０】
可視表面を有する２つを超える別個の要素の付与された色が、前述のＣＩＥＬａｂ色空間全色差を有することができることを認識すべきである。好ましくは、可視表面を有する２つを超える別個の要素の付与された色が、前述のΔＥ未満である。より好ましくは、可視表面を有する３つを超える別個の要素の付与された色が、前述のΔＥ未満である。２つを超える要素を比較することは、付与された色を含む可視表面を有するどの２つの要素が比較されるかに関わらず、得られる全色差が前述のΔＥ値未満であることを意味する。
【００４１】
本発明の一実施形態は、色が規定のＣＩＥＬａｂ色空間色相差（ΔＨ）を有するように、可視表面の色を適合させることである。色相差によって色の適合を特徴付けることは、色相差がＣＩＥＬａｂ内で３つの寸法すべてを占め、且つ考慮する点で望ましい。この理論に制限されるものではないが、そのような３次元測定は、２色の差をより完全に特徴付けると考えられている。色相差は、ＣＩＥＬａｂ色空間内の２点間の距離に相当する。第１の色（Ｌ＊１、ａ＊１、ｂ＊１）及び第２の色（Ｌ＊２、ａ＊２、ｂ＊２）についてのＣＩＥＬａｂ色空間色相差（ΔＨ）は、次式に従って計算される：
【数４】
2008507386.tif 000005
前記式中、ΔＥは、２色の間のＣＩＥＬａｂ色空間全色差であり、以上に提示したように計算される。ΔＣは、２色の間のＣＩＥＬａｂ色空間彩度差であり、次式によって計算される：
【数５】
2008507386.tif 000006
ΔＬ＊は、２色の間のＬ＊値の差であり、ΔＬ＊＝Ｌ＊２−Ｌ＊１によって計算される。
【００４２】
理想的には、それぞれが付与された色を含む少なくとも２つの可視表面は、約４未満のＣＩＥＬａｂ色空間色相差を有することができる。可視表面は、後述する試験方法に従って分析される。分析すると、可視表面を含む要素の固有の色は、Ｌ＊、ａ＊、及びｂ＊座標をもたらす。２つの要素が選択され、該要素のＬ＊、ａ＊、及びｂ＊値が以上に提示した式に挿入されて、色相差をもたらす。得られる色相差は、好ましくは約４未満である。より好ましくは、得られるΔＨは、約３未満である。最も好ましくは、得られるΔＨは、約１未満である。
【００４３】
可視表面を有する２つを超える別個の要素の付与された色が、前述のＣＩＥＬａｂ色空間色相差を有することができることを認識すべきである。好ましくは、可視表面を有する２つを超える別個の要素の付与された色が、前述のΔＨ未満である。より好ましくは、可視表面を有する３つを超える別個の要素の付与された色が、前述のΔＨ未満である。２つを超える要素を比較することは、付与された色を含む可視表面を有するどの２つの要素が比較されるかに関わらず、得られる色相差が前述のΔＨ値未満であることを意味する。
【００４４】
可視表面の試験及び比較は、それぞれが少なくとも１つの可視表面を有する、おむつ構造の別個の要素間で行われる。許容される比較は、例えば、バックシートの可視表面とサイドパネルの可視表面との間である。比較は、類似要素間で実施されるべきではない（例えば、一方の耳と他方の耳との間の比較）。さらに、比較は、おむつ構造の単一要素上の２つのサンプル区域間では実施されるべきでない（例えば、バックシート上の２点間の比較）。後述する標準化された手順を用いて、可視表面を反射色について試験した。
【００４５】
本発明の吸収性物品の一実施形態は、図１に示される一体型の使い捨て吸収性物品であるおむつ２０である。おむつ２０の着用者に面する部分が手前に向けられている。おむつ２０は、液体透過性トップシート２４と、液体不透過性バックシート２６と；好ましくはトップシート２４とバックシート２６との少なくとも一部分の間に位置付けされた吸収性コア２８と；サイドパネル３０と；伸縮性を与えられたレッグカフ３２と；弾性ウエスト機構３４と；全体が４０で示された締着装置とを含むことができる。おむつ２０は、前側ウエスト区域３６と、第１のウエスト区域３６とは反対側の後側ウエスト区域３８と、前側ウエスト区域と後側ウエスト区域との間に位置する股区域３７とを有することができる。おむつ２０の周辺部は、長手方向縁部５０がおむつ２０の長手方向中心線１００に概ね平行に延び、末端縁部５２が長手方向縁部５０の間をおむつ２０の横方向中心線１１０に概ね平行に延びる、おむつ２０の外縁によって画定することができる。
【００４６】
おむつ２０のシャーシ２２は、おむつ２０の主要部を構成することができる。シャーシ２２は、吸収性コア２８の少なくとも一部分と、好ましくはトップシート２４及びバックシート２６とを含むことができる。一体型の吸収性物品の場合、シャーシ２２は、複合おむつ構造体を形成するために追加される他の機構とともに、おむつの主要構造体を構成することができる。トップシート２４、バックシート２６、及び吸収性コア２８は、様々な周知の構成で組み立てることができるが、好ましいおむつ構成については、米国特許第３，８６０，００３号（ケネスＢ．ビュエル（Kenneth B. Buell））；米国特許第５，１５１，０９２号（ビュエル（Buell））；米国特許第５，２２１，２７４号（ビュエル（Buell））；米国特許第５，５５４，１４５号（ロウ（Roe）ら）；米国特許第５，５６９，２３４号（ビュエル（Buell）ら）；米国特許第５，５８０，４１１号（ニース（Nease）ら）；及び米国特許第６，００４，３０６号、名称「多方向延伸性サイドパネルを有する吸収性物品（Absorbent Article With Multi-Directional Extensible Side Panels）」（ロブレス（Robles）ら）に概ね記載されている。
【００４７】
バックシート２６は、一般に、吸収性コア２８内に吸収されて封じ込められた滲出物が、ベッドシーツ及び下着など、おむつ２０と接触し得る物品を汚すのを防ぐ、吸収性コア２８の衣類に面する表面に隣接して位置付けられたおむつ２０の部分である。特定の実施形態では、バックシート２６は、液体（例えば尿）不透過性であってよく、厚さ約０．０１２ｍｍ（０．５ｍｉｌ）〜約０．０５１ｍｍ（２．０ｍｉｌ）の熱可塑性フィルムなどの薄いプラスチックフィルムを含む。好適なバックシートフィルムとしては、インディアナ州テレホート（Terre Haute）のトレデガー・インダストリーズ社（Tredegar Industries Inc.）によって製造され、商標名Ｘ１５３０６、Ｘ１０９６２、及びＸ１０９６４で販売されるものが挙げられる。他の好適なバックシート材料としては、おむつ２０から蒸気を逃がしながらも、滲出物がバックシート２６を通過するのを防ぐことのできる、通気性材料を挙げることができる。代表的な通気性材料としては、織布ウェブ、不織布ウェブ、フィルムコーティングされた不織布ウェブなどの複合材料、及び日本の三井東圧（Mitsui Toatsu Co.）からＥＳＰＯＩＲ  ＮＯの表記で、またテキサス州ベイシティ（Bay City）のエクソン・ケミカル社（Exxon Chemical Co.）からＥＸＸＡＩＲＥの表記で製造されるようなミクロ孔質フィルム、並びにオハイオ州シンシナティ（Cincinnati）のクロペイ社（Clopay Corporation）からＨＹＴＲＥＬブレンドＰ１８−３０９７（HYTREL blend P18-3097）の名称で製造されるようなモノリシックフィルム及び複合材料などの材料を挙げることができる。いくつかの通気性複合材料については、ＰＣＴ出願ＷＯ９５／１６７４６及び米国特許第５，８６５，８２３号にさらに詳細に記載されている。不織布ウェブ及び孔あき成形フィルムを包含する他の通気性バックシートは、米国特許第５，５７１，０９６号に記載されている。バックシート２６、又はそのいかなる部分も、１以上の方向に弾性的に延伸可能であってよい。一実施形態では、バックシート２６は、米国特許第５，５１８，８０１号により詳細に記載されているような構造的弾性体状フィルム（structural elastic-like film）（「ＳＥＬＦ」）ウェブを含んでよい。別の実施形態では、バックシート２６は、エラストマーフィルム、発泡体、ストランド、或いはこれらの組み合わせ、又は他の好適な材料と不織布若しくは合成フィルムとの組み合わせを含んでよい。
【００４８】
バックシート２６は、トップシート２４、吸収性コア２８、又はおむつ２０の他のいずれかの要素に、当該技術分野で既知のあらゆる取り付け手段によって接合されてよい。例えば、取り付け手段としては、接着剤の一様な連続層、接着剤の模様付き層、又は接着剤の分離した線、渦巻き、若しくは点の配列が挙げられる。１つの取り付け手段は、米国特許第４，５７３，９８６号に開示されているような接着剤のフィラメントの開放パターン網状構造を伴う。他の好適な取り付け手段としては、米国特許第３，９１１，１７３号、同第４，７８５，９９６号、及び同第４，８４２，６６６号に示される装置及び方法によって例示されるような、螺旋模様に巻かれた接着剤フィラメントのいくつかの線が挙げられる。代表的な接着剤は、ミネソタ州セントポール（St. Paul）のＨ．Ｂ．フラー社（H.B. Fuller Company）によって製造され、ＨＬ−１６２０及びＨＬ−１３５８−ＸＺＰとして販売される。或いは、取り付け手段は、熱結合、圧力結合、超音波結合、動的機械的結合、又は当該技術分野で既知の他のいずれかの好適な取り付け手段、若しくはこれら取り付け手段の組み合わせを含んでもよい。
【００４９】
トップシート２４は、吸収性コア２８の着用者に面する表面に隣接して位置付けされてよく、また、当該技術分野において既知のいずれかの取り付け手段によって、その着用者に面する表面及び／若しくはバックシート２６に、部分的に又は完全に接合されてよい。好適な取り付け手段については、以上で、バックシート２６をおむつ２０の他の要素に接合する手段に関して記載されている。本発明の一実施形態では、トップシート２４及びバックシート２６は、いくつかの場所では互いに直接接合されてよく、他の場所ではそれらをおむつ２０の他の要素に直接接合させることによって、間接的に接合される。トップシート２４は、それを通る、尿及び／又は糞便（固体、半固体、若しくは液体）などの滲出物の浸透を容易にするために、１以上の孔を含んでよい。
【００５０】
さらに、トップシート２４は、該トップシート２４とコア２８との間に空間をもたらすように、全体的に若しくは部分的に伸縮性をもたせてよく、又は縮小させてよい。伸縮性又は縮小されたトップシートを含む代表的な構造体については、米国特許第４，８９２，５３６号；同第４，９９０，１４７号；同第５，０３７，４１６号；及び同第５，２６９，７７５号により詳細に記載されている。
【００５１】
トップシート２４は、弾性で、柔らかな感触で、着用者の皮膚を刺激しないものであってよい。さらに、トップシート２４の少なくとも一部分は、液体透過性で、液体がその厚さを通って容易に浸透できるようなものであってよい。トップシート２４の少なくとも一部分は、液体及び固体若しくは半固体に対して不透過性であってよく、又は着用者から離れる方向にだけ滲出物を透過可能であってよい。さらに、トップシート２４は、透過性の異なる区域を含んでよい。トップシート２４は、米国特許第５，３４２，３３８号により詳細に記載されているように多数の二次孔をさらに含んでよい。
【００５２】
好適なトップシート２４は、多孔質発泡体；網状発泡体；孔あきプラスチックフィルム；或いは天然繊維（例えば木材繊維若しくは木綿繊維）、合成繊維（例えばポリエステル繊維若しくはポリプロピレン繊維）、又は天然繊維と合成繊維との組み合わせによる織布ウェブ又は不織布ウェブなどの、広範囲の材料から製造することができる。トップシートが繊維を包含する場合、該繊維は、当該技術分野において既知のように、スパンボンド、カード、湿式載置、メルトブロウン、水流交絡、ないしは別の方法で加工されてよい。ステープル長のポリプロピレン繊維のウェブを含む１つの好適なトップシート２４は、テネシー州オールドヒッコリー（Old Hickory）のＢＢＡノンウーブンズ（BBA Nonwovens）によってＰ−８の表記で製造される。
【００５３】
好適な成形フィルムトップシートは、米国特許第３，９２９，１３５号、同第４，３２４，２４６号、同第４，３４２，３１４号、同第４，４６３，０４５号、及び同第５，００６，３９４号に記載されている。他の好適なトップシートは、米国特許第４，６０９，５１８号及び同第４，６２９，６４３号に従って作製することができる。そのような成形フィルムは、インディアナ州テレホート（Terre Haute）のトレデガー社（Tredegar Corporation）から「ＣＬＩＦＦ−Ｔ」及び／又は「ＤＲＩ−ＷＥＡＶＥ」として入手可能である。
【００５４】
着用者の皮膚を吸収性コア２８内に封じ込められた液体から隔てるために、トップシート２４の少なくとも一部分は、疎水性材料で作製されてよく、又は疎水性になるように処理される。トップシート２４が疎水性材料で作製される場合、液体がより迅速に該トップシートを通って移動するように、トップシート２４の上面の少なくとも一部分を親水性になるように処理してよい。トップシート２４は、該トップシートを界面活性剤で処理することによって、又は該トップシートに界面活性剤を組み込むことによって、親水性にすることができる。トップシート２４を界面活性剤で処理する好適な方法としては、トップシート２４材料に界面活性剤をスプレーする方法、及び材料を界面活性剤に浸漬する方法が挙げられる。そのような処理及び親水性についてのより詳細な議論は、米国特許第４，９８８，３４４号に含まれる。トップシートに界面活性剤を組み込むいくつかの好適な方法についてのより詳細な議論は、米国法定発明登録第Ｈ１６７０号（アジズ（Aziz）ら、１９９７年７月１日公開）に見ることができる。別の方法として、トップシート２４に、疎水性の孔あきウェブ又はフィルムを含めてもよい。これは、製造プロセスから親水性化処理工程をなくし、且つ／又は、フルオリル（fluoryl）、パラフィン、若しくはコグニス社（Cognis Corporation）によるリペランＺＮ（Repellan ZN）のようなシリコーン系化合物、同時係属中の米国仮出願第６０／５４３７８５号（２００４年２月１１日出願）に記載されているような疎水性表面コーティング、又は疎水性ローション組成物などの疎水性処理をトップシート２４に適用することによって達成されてよい。
【００５５】
トップシート２４のいずれの部分も、当該技術分野において既知のようにローションでコーティングしてよい。好適なローションの例としては、米国特許第５，６０７，７６０号；同第５，６０９，５８７号；同第５，６３５，１９１号（ロウ（Roe）ら）；及び米国特許第５，６４３，５８８号（ロウ（Roe）ら）に記載されているものが挙げられる。ローションは、単独で、又は前述の疎水性化処理のような別の剤との組み合わせで、機能を果たすことができる。
【００５６】
吸収性コア２８は、一般に圧縮性で、適合性があり、着用者の皮膚に刺激がなく、且つ尿及び他の特定の身体滲出物などの液体を吸収して保持できる、いかなる吸収性材料を含んでもよい。吸収性コア２８は、多種多様なサイズ及び形状（例えば、長方形、砂時計形、「Ｔ」字形、非対称形状など）で製造されてよく、一般にエアフェルトと呼ばれる粉砕木材パルプなど、使い捨ておむつ及び他の吸収性物品で一般的に使用される多種多様な液体吸収性材料を含んでよい。他の好適な吸収性材料の例としては、捲縮セルロース塊；コフォームを含むメルトブローポリマー；化学的に剛化、変性、又は架橋されたセルロース繊維；ティッシュラップとティッシュラミネートを包含するティッシュ；吸収性フォーム；吸収性スポンジ；超吸収性ポリマー；吸収性ゲル化材料；或いは他のあらゆる既知の吸収性材料又はこれらの材料の組み合わせが挙げられる。
【００５７】
また、吸収性コア２８の構成及び構造を変更してもよい（例えば、（１つ若しくは複数の）吸収性コア又は（１つ若しくは複数の）他の吸収性構造体が、様々なキャリパーゾーン、親水性勾配、超吸収性勾配、又は低い平均密度及び低い平均坪量の獲得帯（acquisition zones）を有してよく、或いは１つ若しくは複数の層又は構造体を含んでよい）。吸収性コアとして使用するための代表的な吸収性構造体については、米国特許第４，６１０，６７８号（ワイズマン（Weisman）ら）；米国特許第４，６７３，４０２号（ワイズマン（Weisman）ら）；米国特許第４，８３４，７３５号（アルマニー（Alemany）ら）；米国特許第４，８８８，２３１号（アングスタット（Angstadt））；米国特許第５，１３７，５３７号（ヘロン（Herron））；米国特許第５，１４７，３４５号（ヤング（Young）ら）；米国特許第５，３４２，３３８号（ロウ（Roe））；米国特許第５，２６０，３４５号（デマレ（DesMarais））；米国特許第５，３８７，２０７号（ダイアー（Dyer）ら）；及び米国特許第５，６２５，２２２号（デマレ（DesMarais）ら）に記載されている。
【００５８】
おむつ２０は、また、適合性及び封じ込めの改善をもたらす助けとなる、少なくとも１つの弾性ウエスト機構３４を含んでよい。弾性ウエスト機構３４は、一般に、弾性的に拡張及び収縮して着用者のウエストに動的に適合することが意図されている。弾性ウエスト機構３４は、好ましくは、吸収性コア２８の少なくとも１つのウエスト縁部から少なくとも長手方向外向きに延び、一般におむつ２０の末端縁部５２の少なくとも一部分を形成する。使い捨ておむつは、１つが前側ウエスト区域３６に位置付けられ、１つが後側ウエスト区域３８に位置付けられた、２つの弾性ウエスト機構を有するように構築されることが多い。さらに、弾性ウエスト機構３４又はそのいずれかの構成要素は、おむつ２０に取り付けられた１以上の別個の要素を含んでよいが、弾性ウエスト機構３４は、バックシート２６、トップシート２４、又はバックシート２６とトップシート２４の両方など、おむつ２０の他の要素の延伸部として構成されてもよい。
【００５９】
弾性ウエスト機構３４は、米国特許第４，５１５，５９５号（キービット（Kievit）ら）；米国特許第４，７１０，１８９号（ラッシュ（Lash））；米国特許第５，１５１，０９２号（ビュエル（Buell））；及び米国特許第５，２２１，２７４号（ビュエル（Buell））の記載に挙げられるような、多数の異なる構成で構築されてよい。他の好適なウエスト構成には、米国特許第５，０２６，３６４号（ロバートソン（Robertson））及び米国特許第４，８１６，０２５号（フォレマ（Forema））に記載されているようなウエストキャップ機構を挙げることができる。
【００６０】
おむつ２０はまた、締着装置４０を含んでもよい。締着装置４０は、好ましくは、着用者のおむつ２０の装着を保持するために、おむつ２０の周囲に横方向の引っ張りをもたらすような構成で前側ウエスト区域３６及び後側ウエスト区域３８を維持する。締着装置４０は、好ましくはテープつまみ及び／又はフック・アンド・ループ締着機構を含むが、他の既知のいずれの締着手段も、一般に許容可能である。好ましくは、締着装置４０は、少なくとも１つの係合接着剤及び／又はフック若しくはループ支持つまみ４１と、つまみを受け取るための少なくとも１つのランディング領域４２とを含んでよい。このような実施形態では、つまみ４１及びランディング領域４２は、別個の要素であってよい。いくつかの代表的な締着装置は、米国特許第３，８４８，５９４号（ビュエル（Buell））；米国特許第Ｂ１  ４，６６２，８７５号（ヒロツ（Hirotsu）ら）；米国特許第４，８４６，８１５号（スクリップス（Scripps））；米国特許第４，８９４，０６０号（ネステガード（Nestegard））；米国特許第４，９４６，５２７号（バットレル（Battrell））；並びに米国特許第５，１５１，０９２号及び同第５，２２１，２７４号に開示されている。他の代表的な締着装置は、米国特許第６，４３２，０９８号（クライン（Kline）ら、２００２年８月１３日発行）に開示されている。締着装置は、また、米国特許第４，９６３，１４０号（ロバートソン（Robertson）ら）に開示されているような物品を廃棄構成に保持する手段も提供してよい。締着装置は、また、米国特許第４，６９９，６２２号に開示されているように重なり合った部分の移動を低減するために、又は米国特許第５，２４２，４３６号；同第５，４９９，９７８号；同第５，５０７，７３６号；及び同第５，５９１，１５２号に開示されているように適合性を改善するために、主締着装置及び補助締着装置も包含することができる。別の実施形態では、衣類の両側面を縫い合わせ、又は溶着して、パンツを形成してもよい。これにより、その物品をプルオンおむつ又はトレーニングパンツとして使用できるようになる。
【００６１】
おむつ２０は、サイドパネル３０をさらに含んでもよい。サイドパネル３０は、より快適且つ輪郭に従う適合性をもたらすために、弾性又は伸張可能であってよい。おむつ２０には、前側ウエスト区域３６に配置された、又は前側ウエスト区域３６と後側ウエスト区域３８の両方に配置された、サイドパネル３０を設けてよい。サイドパネル３０は、いずれの好適な構成で構築されてもよい。伸縮性のあるサイドパネルを備えたおむつの例は、米国特許第４，８５７，０６７号（ウッド（Wood）ら）；米国特許第４，３８１，７８１号（シャラファ（Sciaraffa）ら）；米国特許第４，９３８，７５３号（ヴァン・ゴンペル（Van Gompel）ら）；米国特許第５，１５１，０９２号及び米国特許第５，２２１，２７４号；米国特許第５，６６９，８９７号（ラボン（LaVon）ら）；並びに米国特許第６，００４，３０６号（ロブレス（Robles）ら）に開示されている。おむつ２０は、前側ウエスト区域３６に位置付けられた少なくとも１つのサイドパネル３０と、後側ウエスト区域３８に位置付けられた少なくとも１つのサイドパネル３０とから構成されてよい。サイドパネルは、また、耳又は耳フラップとも呼ばれることがある。
【００６２】
おむつ２０は、さらに、液体及び他の身体滲出物の封じ込めを改善するレッグカフ３２を包含してもよい。レッグカフは、また、レッグバンド、サイドフラップ、バリアカフ、又は弾性カフとも呼ばれることがある。米国特許第３，８６０，００３号は、伸縮性レッグカフ（ガスケットカフ）をもたらすためにサイドフラップ及び１以上の弾性部材を有する伸縮性脚部開口部を提供する、使い捨ておむつを記載している。米国特許第４，８０８，１７８号及び同第４，９０９，８０３号（アジズ（Aziz）ら）は、レッグ部の封じ込めを改善する、「スタンドアップ」伸縮性フラップ（バリアカフ）を有する使い捨ておむつを記載している。米国特許第４，６９５，２７８号（ローソン（Lawson））及び同第４，７９５，４５４号（ドラグー（Dragoo））は、それぞれ、ガスケットカフとバリアカフとを包含した二重カフを有する使い捨ておむつを記載している。いくつかの実施形態では、前述のようにレッグカフの全体又は一部分をローションで処理することが望ましい場合がある。典型的なレッグカフ３２設計は、少なくとも１つの基材の２つの表面の間に挿入された少なくとも１つの弾性ストランドを含む。
【００６３】
本発明の実施形態はまた、排泄物を受け取って封じ込めるためのポケット、排泄物のための空隙を形成するスペーサ、物品内での排泄物の移動を制限するためのバリア、おむつ内に堆積した排泄物質を受容して封じ込める区画若しくは空隙、及び同種のもの、又はこれらのあらゆる組み合わせも含んでよい。吸収性製品で使用するためのポケット及びスペーサの例は、米国特許第５，５１４，１２１号（ロウ（Roe）ら）；米国特許第５，１７１，２３６号（ドライア（Dreier）ら）；米国特許第５，３９７，３１８号（ドライア（Dreier））；米国特許第５，５４０，６７１号（ドライア（Dreier））；米国特許第６，１６８，５８４号（アレン（Allen）ら）；及び米国特許第５，３０６，２６６号（フリーランド（Freeland））に記載されている。区画又は空隙の例は、米国特許第４，９６８，３１２号（カーン（Khan））；米国特許第４，９９０，１４７号（フリーランド（Freeland）、１９９１年２月５日発行）；米国特許第５，０６２，８４０号（ホルト（Holt）ら）；及び米国特許第５，２６９，７５５号（フリーランド（Freeland）ら）に開示されている。好適な横方向バリアの例は、米国特許第５，５５４，１４２号（ドライア（Dreier）ら）；米国特許第６，０１０，４９０号（フリーランド（Freeland）ら）；及び米国特許第５，６５３，７０３号（ロウ（Roe）ら）に記載されている。さらに、米国特許出願第１０／７７４，７６８号（アシュトン（Ashton）ら、２００４年２月９日出願）に記載されているような取っ手（handle）をおむつ上に設けてもよい。
【００６４】
試験方法
可視表面を、乾燥状態及び約５０％±２％の周囲湿度で試験する。ヴァージニア州レストン（Reston）のハンター・アソシエイツ・ラボラトリー（Hunter Associates Laboratory）ハンター・ラボ・ラボスキャンＸＥ反射分光光度計（Hunter Lab LabScan XE reflectance spectrophotometer）を使用して、反射色を測定する。分光光度計をＣＩＥＬａｂ色スケールに設定し、Ｄ５０照明を用いる。観察者（Observer）を１０°に設定し、モード（Mode）を４５／０°に設定する。フィルムの場合、エリアビュー（Area View）を０．３１７５ｃｍ（０．１２５インチ）に設定し、ポートサイズ（Port Size）を０．５０８ｃｍ（０．２０インチ）に設定する；不織布及び他の材料の場合、エリアビューを２．５４ｃｍ（１．００インチ）に設定し、ポートサイズを３．０４８ｃｍ（１．２０インチ）に設定する。分光光度計を較正してから、供給業者から機器とともに供給される黒及び白の参照タイルを用いてサンプルを分析する。較正は、ラボスキャンＸＥユーザーズマニュアル（LabScan XE User’s Manual）、マニュアルバージョン１．１、２００１年８月、Ａ６０−１０１０−８６２に記載されているように、製造業者の取扱説明書に従って実施する。参照タイル又はサンプルのクリーニングが必要な場合、エンボス加工、ローション、又は光沢剤を含まないティッシュ（例えば、パフス（Puffs）（登録商標）ティッシュ）だけを使用すべきである。分析されるべき付与された色を含む要素の、可視表面上のいずれかのサンプル点を選択すべきである。理想的には、サンプル点は、知覚される色に近いものになるように選択される。要素の単プライを分光光度計のサンプルポートの上に置く。試験方法内で使用されるとき、単プライとは、要素の可視表面が折り畳まれていないことを意味する。ゆえに、可視表面の単プライには、積層体のサンプルを包含してもよく、その場合、それ自体が、１を超える薄層から構成される。精確な測定を確実にするために、分析されるべき色を含むサンプル点は、サンプルポートよりも大きくなければならない。製造業者によって供給される白色タイルを、可視表面の後ろに置く。Ｌ＊、ａ＊、及びｂ＊値を読み取って
記録する。可視表面を取り出し、該可視表面について最低６個の読み値が得られるように位置付けし直す。可能な場合（例えば、問題になっている要素上の付与された色のサイズが、６つの別個の異なる重なり合わないサンプル点を有する可能性を制限しない場合）、どの２つのサンプル点も重なり合わないように、各読み取りを可視表面上の実質的に異なる区域で実施すべきである。付与された色の区域のサイズが、サンプル点の重なり合いを必要とする場合、どの２つのサンプル点間の重なり合いも最小限に抑えるように選択されたサンプル点をもつ、６つのサンプルだけを取得すべきである。読み値を平均して、要素の可視表面上の指定された色について記録されたＬ＊、ａ＊、及びｂ＊値を得る。
【００６５】
色空間体積Ｖを計算する際には、色を適合させるべき要素の特定の組について、最大並びに最小のＬ＊、ａ＊、及びｂ＊値を決定する。最大並びに最小のＬ＊、ａ＊、及びｂ＊値を使用して、以上に提示した式に従ってＶを計算する。
【実施例】
【００６６】
パンパース（PAMPERS）（登録商標）クルーザーズ（Cruisers）サイズ４おむつと同一の全体構造を有する使い捨ておむつを試験する。好適なおむつ構造は、米国特許第３８６０００３号、同第４６３６２０７号、同第４６９５２７８号、同第４７０４１１５号、同第４７９５４５４号、同第４９００３１７号、同第４９０９８０３号（ＵＳＲＥ３４９２０として再発行されている）、同第５０８５６５４号、同第５４９２７５１号、同第６４７６２８８号、及びＳＩＲ  Ｈ１６３０に詳述されている。実施例１のおむつは、バックシート、前側の耳、締着テープつまみ、及びランディング領域を除けば、市販されているものとほぼ同一である。バックシートは、接着剤によって結合されたポリマーフィルムと不織布バックシートとの積層体である。好適なフィルムは、オハイオ州メイソン（Mason）のクロペイ・プラスチック・プロダクツ社（Clopay Plastic Products Co.）から製品コードＡＰＡ１２１Ｐとして入手可能なポリプロピレンフィルムである。このフィルムを、フレキソ印刷によって印刷する。フィルムを、さらに、不織布ウェブを接着することによって処理する。好適な不織布ウェブは、テネシー州オールドヒッコリー（Old Hickory）のＢＢＡノンウーブンズ（BBA Nonwovens）から供給元コードＦＰＮ３７２Ｄとして入手可能なカード不織布である。フィルム及びウェブを、ミネソタ州セントポールのＨ．Ｂ．フラー社（H.B. Fuller Company）から入手可能なフラー１３５８Ｘ（Fuller 1358X）などの接着剤を用いて１つに取り付ける。取り付け手段は、好ましくは、米国特許第４，５７３，９８６号（ミネトラ（Minetola）ら）に開示されているような接着剤のフィラメントの開放パターン網状構造を含む。前側の耳は、ドイツのＲＫＷ  ＡＧ  レイニッシュ・クンストフヴェルケ（RKW AG Rheinische Kunststoffwerke）から供給元コードＵＳＢ２１７として入手可能な不織布複合材である。不織布を、色含浸（color impregation）によって着色する。締着テープは、ミネソタ州ミネアポリス（Minneapolis）の３Ｍから供給元コードＥＦＴ２０７０で入手可能な不織布／ポリマーフィルム積層体である。締着テープは、着色されたポリマーフィルムがその中に押し出された不織布である。ポリマーフィルムは含浸によって着色される。ランディング領域は、ミネソタ州ミネアポリス（Minneapolis）の３Ｍから供給元コードＥＢＬで入手可能な印刷フィルム／不織布積層体である。フィルムは、グラビア印刷によって着色される。
【００６７】
実施例のバックシート、前側の耳、締着テープつまみ、及びランディング領域を、前述の試験方法に従って試験する。４つの被試験点（バックシート、ランディング領域、前側の耳、及びテープつまみ）は、前述の計算によれば、９７の色空間体積内に入る。
【００６８】
表１は、３つの要素（前側の耳、バックシート、テープつまみ）が７．９の最大ΔＥ＊を有することを規定する。ΔＥ＊の計算を、前述したように要素ごとに実施する。３つの要素を考えると、３つの比較、すなわち、バックシートと前側の耳、バックシートとテープつまみ、及び前側の耳とテープつまみの比較を実施することができる。３つの比較についてのΔＥ＊値は、それぞれ、４．０、７．９、及び４．６である。これらの値を踏まえて、３つの要素は、すべての比較が約１０未満の全色差をもたらす点で、色が適合している。
【表１】
2008507386.tif 000007
【００６９】
表２は、３つの要素（バックシート、ランディング領域、及び前側の耳）が０．９の最大ΔＨ＊を有することを表す。ΔＨ＊の計算を、前述したように要素対要素ごとに実施する。３つの要素を考慮して、３つの比較、すなわち、バックシートとランディング領域、バックシートと前側の耳、及びランディング領域と前側の耳の比較を実施することができる。３つの比較についてのΔＨ＊値は、それぞれ、０．６、０．９、及び０．０である。これらの値を踏まえて、３つの要素は、すべての比較が４未満の色相差をもたらす点で、色が適合している。
【表２】
2008507386.tif 000008
【００７０】
本発明の特定の実施形態について説明し記載したが、本発明の精神及び範囲から逸脱することなく他の様々な変更及び修正を実施できることが当業者には自明である。従って、本発明の範囲内にあるそのようなすべての変更及び修正を、添付の特許請求の範囲で扱うものとする。
【００７１】
「発明を実施するための最良の形態」で引用したすべての文献は、関連部分において本明細書に参考として組み込まれるが、どの文献の引用も、それが本発明に関する先行技術であるとの容認と解釈されるべきではない。
【図面の簡単な説明】
【００７２】
【図１】下層構造を明らかにするために一部分が切り取られた、本発明の使い捨ておむつの実施形態の平面図。
【図２】国際照明委員会（Commission Internationale de l’Eclairage）のＬ＊ａ＊ｂ＊色空間を示す図。
【図１】
2008507386.tif 000009
【図２】
2008507386.tif 000010